(57)【要約】      （修正有）【課題】車両の後部に筐体状の荷室を備えた貨物車において、降雨または降雪時に荷物の積み下ろしをする際、荷物及び作業者が濡れることを抑制する雨除け装置を提供する。【解決手段】貨物車１に備えられた筐体状の荷室２において、荷室後面の左右方向に開く開き戸６及び７を開いた時に、荷室後方にに向けて移動して降水を遮る雨除けプレート４及び５を上部に設ける。雨除けプレートは、荷室上面に設けられたガイド機構３によって後方へ移動可能に構成されると共に、駆動手段によって駆動され、駆動手段は、開き戸の上端部に設けられたガイド部材１０ｂと、雨除けプレートの下面に設けられたガイドチャンネル１０ａとで構成され、ガイドチャンネルは、雨除けプレート後端部の荷室の中心部から側方に向けて斜め前方に伸びている。【選択図】図１
0003197827.tif 000002
【実用新案登録請求の範囲】
【請求項１】
車両の後部に筐体状の荷室を備えた貨物車において、前記荷室は少なくとも後面に該荷室を開放するために左右方向に開く開き戸が設けられると共に、前記荷室の上面には前記開き戸が開いた時に前記荷室後方に向けて移動する雨除けプレートが設けられており、該雨除けプレートは駆動手段によって駆動される事を特徴とする貨物車の雨除け装置。
【請求項２】
前記雨除けプレートは、前記荷室の上面に設けられたガイド機構によって後方へ移動可能に構成されると共に、前記駆動手段は、前記開き戸の上端部に設けられたガイド部材と、前記雨除けプレートの下面に設けられたガイドチャンネルとで構成され、該ガイドチャンネルは、雨除けプレート後端部の荷室の中心部から側方に向けて斜め前方に伸びている事を特徴とする請求項１記載の貨物車の雨除け装置。
【請求項３】
前記開き戸は、左右にそれぞれ開く二枚の開き戸で構成され、前記雨除けプレートは、前記左右の開き戸に対応して左右に分割されており、該分割された左右の雨除けプレートは、それぞれに設けられたガイド機構と、左右に設けられた駆動手段によって後方へ移動する構成となっている事を特徴とする請求項２記載の貨物車の雨除け装置。
【請求項４】
前記雨除けプレートは、前記荷室の上面に設けられたガイド機構によって後方へ移動可能に構成されると共に、前記駆動手段は、前記荷室の上面に設けられたモーターと、該モーターによって駆動されるウォームギアと、雨除けプレートの下面に設けられて前記ウォームギアと噛み合うラックギアとで構成される事を特徴とする請求項１記載の貨物車の雨除け装置。
【考案の詳細な説明】
【技術分野】
【０００１】
本考案は、降雨状態または降雪状態の時、主として貨物車の荷物の積み下ろし時に作業者と荷物が雨に濡れないように荷室の後面の左右方向に開く開き戸の上部にスライドして出てくる雨よけ装置に関する考案である。
【背景技術】
【０００２】
貨物を積載するための荷室を備えた貨物車においては、一般的には筐体状の荷室が設けられている。このような貨物車の荷室は後面に左右方向に開く開き戸が設けられている。そして、作業者はこの開き戸を開放して荷室内に荷物を出し入れするようになっている。
【考案の概要】
【考案が解決しようとする課題】
【０００３】
本考案は、前記したような荷室を開放して荷物を出し入れする際に、降雨状態または降雪状態の時でも作業者及び荷物が濡れることなく、その作業に係る負担を軽減すると共に荷物の保護を目的とするものである。
【課題を解決するための手段】
【０００４】
本考案は、車両の後部に筐体状の荷室を備えた貨物車において、前記荷室には少なくとも後面に該荷室を開放するために左右方向に開く開き戸を設けると共に、前記荷室の上面には前記開き戸が開いた時に前記荷室後方に向けて移動する雨除けプレートを設け、該雨除けプレートは駆動手段によって駆動されるようにした事を特徴とするものである。
【図面の簡単な説明】
【０００５】
【図１】本考案の第一実施例の全体構成を示す斜視図である。
【図２】図１のＡ―Ａの断面図である。
【図３】雨除けプレートの取り付けステー部の斜視図である。
【図４】本考案の第一実施例である雨除け装置の後部拡大斜視図である。
【図５】本考案の第一実施例である雨除け装置を屋根上面から見た平面図である。
【図６】図１のＢ―Ｂの断面図である。
【図７】本考案の第二実施例の後部の斜視図である。
【図８】本考案の第二実施例である雨除け装置を屋根上面から見た平面図である。
【図９】本考案の第三実施例である雨除け装置の全体構成を示す斜視図である。
【考案を実施するための形態】
【０００６】
本考案の第一実施例について図１から図６に基づいて説明する。
図１に示すように、貨物車１の荷室２は筐体状とされ、その後面に前記荷室２を開放するための左右方向に開く右開き戸６、及び左開き戸７が設けられている。
【０００７】
前記荷室２の上面の両側、及び中央にはＣ字形状のガイドレール３が前後方向に延びて配置されており、このガイドレール３に沿って平板状の雨除けプレートがスライド可能とされている。この雨除けプレートは、左側雨除けプレート４と、右側雨除けプレート５とに分割されている。そして、この左右の雨除けプレート４，及び５には、その前側の両側にステー８ｓ、及び８ｃがそれぞれ取り付けられている。また雨除けプレート４、及び５の後端部には、周囲の物体に当たった時の衝撃を緩和させるためのウレタンゴム１１が取り付けられている。
【０００８】
前記したステー８ｓは、雨除けプレート５の外側前端部にボルトで固定される取り付け部８ａと該取り付け部８ａから延びるステー部８ｂとから成り、このステー部８ｂにガイドローラー９、９が回動自在に取り付けられている。そして、このガイドローラー９、９は、前記したガイドレール３内を摺動するように構成されている。一方、雨除けプレート５の内側前端部にはステー８ｓと同様の形状をしたステー８ｃが取り付けられている。なお、前記雨除けプレート５と同様に雨除けプレート４にもステー８ｓ、及び８ｃがそれぞれ設けられている。なお、このガイドレール３とガイドローラー９、９を有するステー８ｓ、８ｃでガイド機構が構成されている。    
【０００９】
雨除けプレート５の下面には、Ｃ字形状で下向きに開口したガイドチャンネル１０ａが固定されている。このガイドチャンネル１０ａは雨除けプレート５の後端
部の荷室２の中心部から側方に向けて斜め前方に伸びるように配置されている。
なお、雨除けプレート５と同様に雨除けプレート４の下面にも、Ｃ字形状で下向きに開口したガイドチャンネル１０ａが固定され、このガイドチャンネル１０ａも雨除けプレート４の後端部の荷室２の中心部から側方に向けて斜め前方に伸びるように配置されている。
【００１０】
前記した荷室２の後部に設けられている右開き戸６、及び左開き戸７にはその中央側上端部にガイド部材１０ｂ、１０ｂがそれぞれ設けられている。そして、このガイド部材１０ｂ、１０ｂは、右開き戸６、及び左開き戸７が閉じているときに前記ガイドチャンネル１０ａ、１０ａ内に挿入されている。なお、このガイド部材１０ｂ、１０ｂは、その上面が例えば３０度程度のテーパー状とされている。このため、ガイド部材１０ｂをガイドチャンネル１０ａに嵌め込む際にその挿入がスムーズとなる。なお、第一実施例では、このガイド部材１０ｂとガイドチャンネル１０ａとで駆動手段が構成されている。
【００１１】
なお、雨除けプレート４には、断面がＨ字形状の保持部材１５の一方の開口側が
接着剤で固定されており、他方側の開口に雨除けプレート５の一側が嵌め込まれておりこれによって雨除けプレート４及び雨除けプレート５がそれぞれ独立してスライド可能となっている。
【００１２】
前記した構成に基づいて本考案の動作を説明する。
雨除けプレート５を荷室２の後方へ引き出す際は、荷室２の後面の右開き戸６を開くことによりガイド部材１０ｂがガイドチャンネル１０ａの中をスライドする。その際にガイドチャンネル１０ａが外側に向けて前方に延びるように配置されているため、雨除けプレート５は後方にスライドして荷室の後ろ側に飛び出すようになる。また雨除けプレート４も雨除けプレート５と同様に荷室２の後面の左開き戸７を開くことによりガイド部材１０ｂがガイドチャンネル１０ａの中をスライドしながら移動することで雨除けプレート４は後方にスライドして荷室の後ろ側に飛び出すようになる。
【００１３】
前記した右開き戸６、及び左開き戸７は、荷室２を閉じた状態から９０度まで開く間はガイド部材１０ｂが雨除けプレート４及び５の下面に設けたガイドチャンネル１０ａに係合している。そして、右開き戸６、及び左開き戸７が９０度を超えて開くとガイド部材１０ｂとガイドチャンネル１０ａとの係合が外れるようになる。本考案では、ステー８ｓの前方先端に上方へ突出するストッパー８ｄを設けることにより雨除けプレート４、及び５の重みで少し下がる事を利用してストッパー８ｄがガイドレール３の上面に当たり動かなくすることにより雨除けプレート４、及び５の位置ずれを防ぐことができる。
【００１４】
前記した実施例においては、左右の雨除けプレート４、及び５は荷室２の中央側と、後ろ側を少し高くすることで後方への雨のしずくが垂れにくくなる。また雨除けプレートへ取り付けられるステー８ｓ、及び８ｃは、その取り付けに際して熱膨張などを考慮した取り付けとするのが良い。
【００１５】
本考案の第二実施例を図７、及び図８に基づいて説明する。第二実施例では雨除けプレート４、及び５を駆動する駆動手段として電動モーターを使用したものである。雨除けプレート４、及び５の下面にはウォーム型のラックギア２０ａが固定されており、このラックギア２０ａと噛み合うウォームギア２０ｂを備えた電動モーター２０ｃは外部に露出した状態となるため防水型とするのが望ましい。また、雨除けプレート４、及び５は連結板１７によって連結されて両者は一体化されている。これによって雨の侵入を防ぐとともに強度も高めることができる。また左右方向の中央部と後方を例えば２度高く上げることにより雨のしずくを防ぐことができる。
【００１６】
この第二実施例では、運転席に設けているスイッチ３１をＯＮ操作することで電動モーター２０ｃが作動することでウォームギア２０ｂが回転し、この回転によってウォームギア２０ｂと噛み合っているラックギア２０ａが後方へ移動するようになる。これによって雨除けプレート４、及び５が後方へ移動して荷室２の後側に張り出した状態となり、雨が降っている時には雨除けとなる。この雨除けプレート４、及び５は、後方へ移動した際にリミットスイッチ４０ｂが作動してその移動が停止される。また、雨除けプレート４、及び５を前方へ移動させる際は、電動モーター２０ｃを逆回転させることで可能となる。その際、雨除けプレート４、及び５が前方へ移動するとリミットスイッチ４０ａが作動することでその移動が停止されるようになっている。
【００１７】
前記した電動モーター２０ｃの動作は、運転席に設けたスイッチ３１を作動させることによって行うようにしているが、安全のため、駐車ブレーキが作動状態の時に電動モーター２０ｃの作動回路をＯＮするように構成すると良い。
【００１８】
図９は、本考案の第三実施例を示す。この第三実施例は、第二実施例の雨除けプレート４、及び５を一体化させると共に、電動モーター２０ｃも一緒にユニット化したもので、これ等のユニット化した雨除け装置の上面側にカバー部材３０を配置させて荷室２に固定するようにしたものである。こうすることで、各部品の保護が出来、また、各部品が取り付け易くなる。さらに空気抵抗も低減できるという効果もある。なお、雨除けプレートは、例えばスライド量を１．３メートル程度とすると作業がしやすくなり、全高も例えば１５センチメートル以内にして高さを抑えるようにすると良い。
【符号の説明】
【００１９】
１      貨物車
２      荷室
３      ガイドレール
４      雨除けプレート
５      雨除けプレート
６      開き戸
７      開き戸
８ｃ    ステー
８ｓ    ステー
８ｄ    ストッパー
９      ガイドローラー
１０ａ  ガイドチャンネル
１０ｂ  ガイド部材
１１    ウレタンゴム
２０ａ  ラックギア
２０ｂ  ウォームギア
２０ｃ  電動モーター
３０    カバー部材
３１    操作スイッチ
４０ａ  リミットスイッチ
４０ｂ  リミットスイッチ
【図１】
0003197827.tif 000003
【図２】
0003197827.tif 000004
【図３】
0003197827.tif 000005
【図４】
0003197827.tif 000006
【図５】
0003197827.tif 000007
【図６】
0003197827.tif 000008
【図７】
0003197827.tif 000009
【図８】
0003197827.tif 000010
【図９】
0003197827.tif 000011